(57)【要約】【課題】圧迫感を与えないような空間デザインを可能としつつ、しかも、対面した者同士が互いの視線が気にならないようにすることができるテーブル及び仕切りを提供する。【解決手段】仕切り２４を備えたテーブル２０では、仕切り２４が、テーブル板３０を挟んで前後に向い合わせとなる者同士が互いに目が合わないように、テーブル板３０から所定の高さ位置において対面者同士の空間を遮る目隠し部７１と、目隠し部７１の下方であってテーブル板３０の上方にて対面者同士の空間を遮らないようにした開放部７４と、を備える。【選択図】図２
2020103435.tif 000002
【特許請求の範囲】
【請求項１】
テーブル板及び仕切りを備えたテーブルであって、
前記仕切りは、
前記テーブル板を挟んで前後に向い合わせとなる者同士（以下「対面者同士」という。）が互いに目が合わないように、前記テーブル板から所定の高さ位置において前記対面者同士の空間を遮る目隠し部と、
前記目隠し部の下方であって前記テーブル板の上方にて前記対面者同士の空間を遮らないようにした開放部と、
を備えた、テーブル。
【請求項２】
前記仕切りは、
前記目隠し部及び前記開放部のうち、少なくとも前記目隠し部を有する仕切り板と、
前記テーブル板から上方に延在し、前記仕切り板の左右の端部をそれぞれ支持する左右の支持枠と、を備え、
前記左右の支持枠は、それぞれ、前記仕切り板の前記左右の端部を上下方向にスライド可能に且つ着脱可能に支持する、請求項１に記載のテーブル。
【請求項３】
前記仕切り板の前記左右の端部の各下部は、前記テーブル板上に立設される左右の脚部をそれぞれ有しており、
前記開放部は、前記左右の脚部の間において前記仕切り板に形成されている、請求項２に記載のテーブル。
【請求項４】
前記仕切り板には、前記目隠し部と前記開放部との間に、上側から順に、
前記対面者同士の空間を遮らないようにした開口部と、
前記対面者同士の空間を遮るようにした閉塞部と、が連続して形成されている、請求項３に記載のテーブル。
【請求項５】
前記左右の支持枠は、前記テーブル板の上方にて前記仕切り板の前記左右の端部の各下端をそれぞれ支持する左右のストッパ部を有しており、
前記開放部は、前記左右の支持枠が前記仕切り板を支持した際に、前記左右のストッパ部、前記テーブル板の上面及び前記仕切り板の下端によって画成される、請求項２に記載のテーブル。
【請求項６】
前記仕切り板の前後両面には、前記対面者同士からのリクエストをそれぞれ個別に受け付け可能な端末機が設けられている、請求項２から５のいずれか一項に記載のテーブル。
【請求項７】
前記端末機は、前記目隠し部に設けられている、請求項６に記載のテーブル。
【請求項８】
前記テーブル板には、前記対面者同士がそれぞれ食物を調理するために個別に使用可能な調理器が設けられている、請求項２から７のいずれか一項に記載のテーブル。
【請求項９】
前記調理器は、前後方向に並んで設けられている、請求項８に記載のテーブル。
【請求項１０】
前記テーブル板には、前記対面者同士がそれぞれトレイを個別に置くためのトレイ載置用凹部が設けられており、
前記仕切り板は、前記テーブル板の前後中間位置にあり、
前記調理器は、前記トレイ載置用凹部よりも前記仕切り板の近くに位置する、請求項９に記載のテーブル。
【請求項１１】
前記調理器と前記トレイ載置用凹部とは、前後方向に並んで設けられている、請求項１０に記載のテーブル。
【請求項１２】
前記テーブル板には、調味料用凹部が形成されており、
前記調味料用凹部は、前記調理器と前記トレイ載置用凹部とが並んでいる方向から外れた位置に形成されている、請求項１１に記載のテーブル。
【請求項１３】
前記テーブル板には、前記調理器及び前記トレイ載置用凹部を含む組合せが、複数、左右方向に配列されており、
前記仕切りは、前記複数の組合せに個別に対応するように、左右方向に配列されている、請求項１０から１２のいずれか一項に記載のテーブル。
【請求項１４】
左右方向に隣り合う仕切りでは、左側の仕切りにおける右側の支持枠と、右側の仕切りにおける左側の支持枠とが枠部材を共有する、請求項１３に記載のテーブル。
【請求項１５】
前記仕切りは、左右方向に隣り合う者同士の空間を遮らないように、前記テーブル板の前後中間位置にのみ設けられている、請求項１３又は１４に記載のテーブル。
【請求項１６】
前記調理器は、ロースターである、請求項８から１５のいずれか一項に記載のテーブル。
【請求項１７】
前記テーブル板は、複数の対面者同士が左右方向に並ぶことができるように、左右方向に長く延在しており、
前記仕切りは、前記複数の対面者同士に個別に対応するように、左右方向に配列されている、請求項１から１２のいずれか一項に記載のテーブル。
【請求項１８】
請求項１から１７のいずれか一項に記載のテーブルのテーブル板上に設置可能に構成された仕切り。
【発明の詳細な説明】
【技術分野】
【０００１】
本発明は、テーブル及び仕切りに関する。
【背景技術】
【０００２】
飲食店で、互いに知らない客同士が同一テーブルに案内され、向い合わせに座って食事をすることがある。しかし、対面した客同士は、互いの視線が気になる。そのため、落ち着かず、緊張して食事ができないことがある。このような問題を解決するために、テーブル内部に仕切り板を収納しておき、対面着席時に、仕切り板をテーブル上方へと上昇することを可能にしたテーブルが知られている（特許文献１参照）。
【先行技術文献】
【特許文献】
【０００３】
【特許文献１】特開平１１−２０６４６５号公報
【発明の概要】
【発明が解決しようとする課題】
【０００４】
しかし、特許文献１に記載のテーブルは、仕切り板の昇降構造が複雑であり、実用化に不向きである。また、仕切り板を上昇させると、対面した客同士がテーブル板上で完全に隔てられ、これは、むしろ客に圧迫感を与えるおそれがある。また、そのような完全に隔てる方式では、飲食店全体の空間デザインとして窮屈な印象を与えるおそれがある。
【０００５】
本発明は、圧迫感を与えないような空間デザインを可能としつつ、しかも、対面した者同士が互いの視線が気にならないようにすることができるテーブル及び仕切りを提供することを目的とする。
【課題を解決するための手段】
【０００６】
本発明の一態様に係るテーブルは、テーブル板及び仕切りを備えたテーブルであって、仕切りは、テーブル板を挟んで前後に向い合わせとなる者同士（以下「対面者同士」という。）が互いに目が合わないように、テーブル板から所定の高さ位置において対面者同士の空間を遮る目隠し部と、目隠し部の下方であってテーブル板の上方にて対面者同士の空間を遮らないようにした開放部と、を備えたものである。
【０００７】
この態様によれば、仕切りが有する目隠し部によって、対面者同士は互いの視線が遮られる。これにより、対面者同士に互いの視線を気にさせないようにすることができる。また、仕切りが有する開放部によって、対面者同士がテーブル板の上方で完全には隔てられなくなる。これにより、対面者同士に圧迫感を与えないような、開放感のある空間デザインを可能とすることができる。
【図面の簡単な説明】
【０００８】
【図１】実施形態に係るテーブルを備えた店舗の内部を示す斜視図である。
【図２】図１のテーブルに、人が向い合わせに座った様子を示す斜視図である。
【図３】図１のテーブルにおける仕切りを示す平面図である。
【図４】図３の仕切りについて、仕切り板を取り付ける様子を示す斜視図である。
【図５】図１のテーブルにおける調味料用凹部に、調味料を置いた状態の例を示す拡大斜視図である。
【図６】図１のテーブルにおけるトレイ載置用凹部に、料理を載せたトレイを置いた状態の例を示す拡大正面斜視図である。
【図７】他の実施形態に係るテーブルを備えた店舗の内部を示す斜視図である。
【発明を実施するための形態】
【０００９】
添付図面を参照して、本発明の好適な実施形態に係るテーブルについて説明する。本書において、上下、左右及び前後を以下のとおり定義する。まず、テーブルには、人が向い合わせでつくことができる。この向い合わせの方向を前後方向と称する。また、テーブルには、人が横並びに隣り合わせでつくことができる。この隣り合わせの方向を左右方向と称する。そして、前後方向及び左右方向に直交する方向が、上下方向である。また、一人の人とテーブルとの関係に着目すると、人がテーブルについたときに、人が向いている方向（仕切りがある方）を後方、その反対方向（人がいる方）を前方という場合がある。同様に、人がテーブルについたときに、人の右側を右方向、人の左側を左方向という場合がある。
【００１０】
図１及び２に示すように、店舗１０には、テーブル２０に沿って複数の椅子２２が並べられており、一つのテーブル２０に複数人がつくことができるようになっている。例えば、テーブル２０には、前後に５人ずつが向い合わせに、計１０人が着席できるようになっている。また、テーブル２０には、前後に向かい合わせで座る人同士が互いに目が合わないように仕切り２４が複数（ここでは５個）設けられている。この店舗１０は、例えば、一人一台のロースターを備え付けた焼肉店舗であり、テーブル２０についた各人が、一人用の食事スペースにて、個別に使用可能なロースターを用いて、自分のペースで食事ができるようになっている。
【００１１】
テーブル２０は、左右方向に長く延びるテーブル板３０を有している。テーブル板３０は、例えば、水平に配置された方形の天板である。テーブル板３０は、一つの板部材が左右方向に長く延びたものとすることができる。あるいは、テーブル板３０は、複数の板部材が左右方向につなげられる又は並べられることによって左右方向に長く延びたものであってもよい。
【００１２】
テーブル２０には、一人用の食事スペースに、トレイ載置用凹部４０、調理領域４２、カトラリー収納部４６及びメニュー収納部４８を含む一組の組合せが設けられている。この一組の組合せが、全員の数だけ、各人の食事スペースに対応して設けられている。また、左右に隣り合う一人用の食事スペースの間に調味料用凹部４４が設けられている。したがって、調味料用凹部４４は、隣り合って座る二人の共用となる。
【００１３】
トレイ載置用凹部４０、調理領域４２及び調味料用凹部４４は、テーブル板３０の上面３１に形成されている。テーブル３０板の上面３１は、トレイ載置用凹部４０、調理領域４２及び調味料用凹部４４が形成されている部分以外のところでは、平坦面となっている。カトラリー収納部４６は、トレイ載置用凹部４０の下側にて、テーブル板３０の前部に引出タイプとして形成されている。カトラリー収納部４６は、箸、フォーク、スプーン及びナイフの少なくとも１種類を収納する。メニュー収納部４８は、カトラリー収納部４６の下側に棚のタイプとして形成されている。
【００１４】
トレイ載置用凹部４０は、トレイ１００（参照：図６）を着脱可能に載置するための窪みである。トレイ１００には、例えば、一人前の焼肉セット（ごはん、肉、キムチ、スープ、たれなど）を個々に入れた複数の食器が載せられる。トレイ載置用凹部４０は、例えば、載置したトレイ１００の周壁部１０４の上面がテーブル板３０の上面３１と面一となる高さに設定される（参照：図６）。トレイ載置用凹部４０は、平面視、左右方向に長い長方形で形成されており、その長方形の長手方向の一辺５１がテーブル板３０の前縁３０ａの一部に沿って形成されている。したがって、トレイ載置用凹部４０は、この一辺５１に相当する部分が前方に向かって開放されている。この開放部分があることにより、トレイ載置用凹部４０にトレイ１００を載置した場合には、前方に向かってトレイ１００を水平に引き出し又はスライド可能になっている。トレイ載置用凹部４０は、それを構成する各面に金属板が敷設されており、そのうちの底面には、文字、図形及び記号の少なくとも一つを含む表示領域が設けられている。ここでは、表示領域には、四角の枠内に文字が印刷されている。
【００１５】
調理領域４２は、食物を調理するために使用される領域であり、調理器が設けられている。調理器は、例えば、肉類を焼くためのロースター５５である。調理領域４２は、トレイ載置用凹部４０の後側に設けられている。調理領域４２とトレイ載置用凹部４０とは、わずかなスペースを介して、前後方向に連続して並んでいる。調味料用凹部４４は、調味料（参照：図５）を入れた容器を着脱可能に置くために使用される窪みであり、トレイ載置用凹部４０と調理領域４２とが並んでいる前後方向から外れた位置に形成されている。調味料用凹部４４は、ここでは左右方向に３つ並んで形成されているが、１つであってもよい。
【００１６】
仕切り２４は、テーブル板３０よりも上方のスペースを前後に区切るものであり、左右方向に並ぶ複数の食事スペースに対応するように、複数（ここでは６個）配列されている。仕切り２４は、テーブル板３０の前後中間位置にのみ設けられており、左右方向に隣り合う者同士の空間は遮らない。一つの食事スペースに対応した一つの仕切り２４は、仕切り板６０、左の支持枠６２及び右の支持枠６４を備えている。
【００１７】
図４に示すように、仕切り板６０は、例えば一枚の平板の一部を切断することで形成されており、上側から順に、目隠し部７１、開口部７２、閉塞部７３及び開放部７４を有している。また、仕切り板６０は、左右の端部７６Ｌ、７６Ｒの各下部に、テーブル板３０上に立設される脚部７７Ｌ、７７Ｒをそれぞれ有している。目隠し部７１、開口部７２、閉塞部７３及び開放部７４は、上下方向の長さが互いに同程度となっているが、これに限られない。
【００１８】
図１〜４に示すように、目隠し部７１は、テーブル板３０を挟んで前後に向かい合わせとなる者同士（以下「対面者同士」という場合がある。）が互いに目が合わないように、テーブル板３０から所定の高さ位置において対面者同士の空間を遮る。目隠し部７１は、例えば、着席した大人の目の高さ位置に少なくとも存在する。この目の高さ位置は、人の体格にもよるが、例えば、テーブル板３０から３５〜５０ｃｍの位置である。したがって、一例を挙げると、目隠し部７１として、その上下方向の中心位置をテーブル板３０から約４５ｃｍの位置に設定し、上下方向の長さを約１５ｃｍに設計すればよい。目隠し部７１の位置、大きさ、範囲及び形状は、対面者同士が互いに目が合わないものであればよく、例えば、目隠し部７１の左右方向の長さ（幅）は、一人用の食事スペースの幅に対応したものであればよい。また、目隠し部７１の形状は、横長の長方形とすることができる。
【００１９】
開口部７２及び開放部７４は、テーブル板３０よりも上方にて、対面者同士の空間を遮らない。一方、閉塞部７３は、テーブル板３０よりも上方にて、対面者同士の空間を遮る。開口部７２は、目隠し部７１の下端、左右の端部７６Ｌ、７６Ｒ及び閉塞部７３の上端によって画成されている。開口部７２は、例えば、仕切り板６０を形成する板を横長の長方形にくりぬくことで形成されている。開放部７４は、左右の脚部７７Ｌ、７７Ｒの間において仕切り板６０に形成されている。具体的には、開放部７４は、仕切り板６０を形成する板の下側部分を横長の長方形に切り取ることによって形成されており、左右の脚部７７Ｌ、７７Ｒ及び閉塞部７３の下端によって画成されている。開放部７４の上下方向の長さは、例えば１０〜１５ｃｍである。
【００２０】
左右の支持枠６２、６４は、テーブル板３０から上方に延在している。左右の支持枠６２、６４は、それぞれ、仕切り板６０の左右の端部７６Ｌ、７６Ｒを上下方向にスライド可能に且つ着脱可能に支持する（参照：図４）。左右の支持枠６２、６４は、例えば、それぞれ、断面コ字状に形成されている。仕切り２４は、例えば、左右の支持枠６２、６４をテーブル板３０上に固定し、左右の支持枠６２、６４に上方から仕切り板６０の左右の端部７６Ｌ、７６Ｒを差し込んで下方にスライドさせることで、テーブル板３０上に設置される。
【００２１】
ここで、左右方向に隣り合う仕切り２４、２４では、左側の仕切り２４における右側の支持枠６４と、右側の仕切り２４における左側の支持枠６２とが枠部材を共有している。例えば、図４に示すように、枠部材８０は、断面Ｉ字状に形成され、左側の仕切り２４のための断面コ字状の支持枠と右側の仕切り２４のための断面コ字状の支持枠とを、隣同士に構成している。こうすることで、部品点数を削減することができる。ただし、他の実施態様では、枠部材の共有を図らなくてもよい。
【００２２】
このように、テーブル２０では、対面者同士の各食事スペースが仕切り２４によって区分けされる。仕切り２４は、左右方向に並ぶ複数の対面者同士にも対応するように、複数が左右方向に配列されているが、この隣り合う者同士の空間は遮られない。そして、テーブル２０における一人用の食事スペースには、トレイ載置用凹部４０、調理領域４２、カトラリー収納部４６及びメニュー収納部４８を含む一組の組合せが確保され、テーブル板３０上では、調理領域４２がトレイ載置用凹部４０よりも仕切り板６０の近くに位置することになる。
【００２３】
本実施形態のテーブル２０の作用効果について説明する。
まず、テーブル２０では、仕切り２４が、対面者同士が互いに目が合わないように、テーブル板３０から所定の高さ位置に目隠し部７１を有している。これにより、対面者同士は互いの視線が気にならなくなるので、落ち着いて食事をすることができる。また、仕切り２４は、目隠し部７１の下方であってテーブル板３０の上方にて対面者同士の空間を遮らないようにした開放部７４を有している。これにより、対面者同士がテーブル板３０の上方で完全には隔てられなくなるので、対面者同士に与える圧迫感を緩和することができる。また、店舗１０全体としても、個々の仕切り２４に開放部７４があることで、開放感のある空間デザインが可能となる。
【００２４】
また、仕切り２４は、目隠し部７１を有する仕切り板６０と、仕切り板６０の左右の端部７６Ｌ、７６Ｒをそれぞれ支持する左右の支持枠６２、６４と、を備え、左右の支持枠６２、６４は、それぞれ、仕切り板６０の左右の端部７６Ｌ、７６Ｒを上下方向にスライド可能に且つ着脱可能に支持している。このような構成となっているため、仕切り２４を簡易な構造としつつ、必要に応じて簡単に交換することができる。
【００２５】
また、仕切り板６０の左右の端部７６Ｌ、７６Ｒの各下部は、テーブル板３０上に立設される左右の脚部７７Ｌ、７７Ｒをそれぞれ有しており、開放部７４は、左右の脚部７７Ｌ、７７Ｒの間において仕切り板６０に形成されている。この構成により、仕切り板６０の下部に開放部７４を形成し、テーブル板３０の直上に開放部７４を位置させることができる。
【００２６】
また、仕切り板６０には、目隠し部７１と開放部７４との間に、上側から順に、開口部７２及び閉塞部７３が連続して形成されている。このように、開放部７４に加えて、開口部７２をさらに形成することで、より一層、対面者同士に与える圧迫感を緩和し、開放感のある空間デザインを可能とすることができる。
【００２７】
加えて、仕切り２４は、テーブル板３０の前後中間位置にのみ設けられ、左右方向に隣り合う者同士の空間を遮らない。これにより、視線が気にならない隣の人とは仕切りでは区切られないので、一人用の食事スペースにいる人に圧迫感や閉塞感を与えなくてすむ上、店舗１０全体の空間デザインをより開放感のあるものとすることができる。
【００２８】
また、一人用の食事スペースでは、トレイ載置用凹部４０と調理領域４２とがテーブル板３０において前後方向に並んで設けられている。これにより、トレイ載置用凹部４０に置いたトレイ１００から食材を調理領域４２に簡単な動作で移動させることができるため、人に調理し易さを体感させることができる。
【００２９】
また、調味料用凹部４４が、トレイ載置用凹部４０及び調理領域４２の並び方向と外れた位置に設けられている。これにより、テーブル板３０のデッドスペースとなりがちなところを有効に利用して調味料用凹部４４を設けることができる。しかも、調味料用凹部４４は、隣り合って座る二人の共用となるため、限られたスペースを有効に利用して調味料をテーブル２０に置くことができる。
【００３０】
以上説明した実施形態は、本発明の理解を容易にするためのものであり、本発明を限定して解釈するためのものではない。各実施形態が備える各要素並びにその配置、材料、条件、形状及びサイズ等は、例示したものに限定されるわけではなく適宜変更することができる。
【００３１】
例えば、仕切り２４は、目隠し部７１及び開放部７４を有するものの、開口部７２及び閉塞部７３を有しないようにしてもよい。また、仕切り板６０は、少なくとも目隠し部７１を有するものであればよく、開放部７４を有しないものであってよい。例えば、図７に示す仕切り２４０は、目隠し部７１０及び開放部７４０を有するものの、上記の開口部７２及び閉塞部７３を有しないものとなっている。また、この仕切り２４０における仕切り板６００は、目隠し部７１０を有するものの、開放部７４０を有しないものとなっている。この場合、開放部７４０は、左右の支持枠６２０、６４０が仕切り板６００を支持した際に画成されるようになっている。
【００３２】
仕切り２４０について、仕切り２４と異なる点を詳述する。まず、仕切り板６００では、仕切り２４における目隠し部７１、開口部７２及び閉塞部７３に相当する部位全体が、目隠し部７１０として構成されている。
【００３３】
目隠し部７１０には、端末機８００が設けられている。端末機８００は、仕切り板６００の前後両面にそれぞれ設けられており、対面者同士からのリクエストをそれぞれ個別に受け付け可能に構成されている。端末機８００の位置は、仕切り板６００の中央部とすることができるが、その中でも少し上側よりの位置とするとよい。こうすることで、熱源であるロースター５５と端末機８００との距離をできるだけ長くすることができ、端末機８００に対するロースター５５からの熱の影響を小さくすることができる。端末機８００は、例えば、iPad（登録商標）などの、ディスプレイを有するタブレットタイプの情報処理装置で構成することができ、食事をする人からの料理等の注文や会計などリクエストを受け付ける。
【００３４】
また、仕切り板６００では、上記の仕切り２４における脚部７７Ｌ、７７Ｒを有しておらず、目隠し部７１０の下端が仕切り板６００の下端となっている。このような仕切り板６００は、例えば一枚の方形の平板について、端末機８００を配置する部分を加工することで形成される。
【００３５】
左右の支持枠６２０、６４０は、テーブル板３０の上方にて仕切り板６００の左右の端部７６０Ｌ、７６０Ｒの各下端をそれぞれ支持する左右のストッパ部８２０、８４０と、左右のストッパ部８２０、８４０から上方に延在して仕切り板６００の左右の端部７６０Ｌ、７６０Ｒをそれぞれ着脱可能に支持する左右の支持部８６０、８８０と、を有する。左右の支持部８６０、８８０は、仕切り板６００の左右の端部７６０Ｌ、７６０Ｒを上下方向にスライド可能に且つ着脱可能に支持する。左右のストッパ部８２０、８４０は、仕切り板６００の下端とテーブル板３０の上面３１とを所定の距離だけ離すために、仕切り板６００の下方へのスライドを規制する。これにより、仕切り２４０における開放部７４０は、左右の支持枠６２０、６４０が仕切り板６００を支持した際に、左右のストッパ部８２０、８４０、仕切り板６００の下端及びテーブル板３０の上面３１によって画成される。
【００３６】
このような仕切り２４０であっても、上記の仕切り２４と同様に、目隠し部７１０によって、対面者同士は、互いの視線を気にすることなく、落ち着いて食事をすることができる。また、開放部７４０によって、対面者同士に与える圧迫感を緩和することができ、店舗１０全体として、開放感のある空間デザインを可能とすることができる。加えて、目隠し部７１０に端末機８００を設けているので、目隠し部７１０の有効利用を図ることができる。
【００３７】
他の実施態様では、テーブル２０は、立食スタイルに使用されるものであってもよい。また、テーブル板３０は、方形の天板に限らず、半円形や円形など、他の形状の天板であってもよい。その他、調理領域４２には、ロースター５５以外の調理器が設けられてもよい。例えば、鍋やコンロが設けられてもよい。
【符号の説明】
【００３８】
１０…店舗、２０…テーブル、２２…椅子、２４…仕切り、３０…テーブル板、３０ａ…前縁、３１…上面、４０…トレイ載置用凹部、４２…調理領域、４４…調味料用凹部、４６…カトラリー収納部、４８…メニュー収納部、５１…一辺、５５…ロースター、６０…仕切り板、６２、６４…左右の支持枠、７１…目隠し部、７２…開口部、７３…閉塞部、７４…開放部、７６Ｌ、７６Ｒ…左右の端部、７７Ｌ、７７Ｒ…左右の脚部、８０…枠部材、１００…トレイ、２４０…仕切り、６００…仕切り板、６２０、６４０…左右の支持枠、７１０…目隠し部、７４０…開放部、７６０Ｌ、７６０Ｒ…左右の端部、８００…端末機、８２０、８４０…左右のストッパ部、８６０、８８０…左右の支持部
【図１】
2020103435.tif 000003
【図２】
2020103435.tif 000004
【図３】
2020103435.tif 000005
【図４】
2020103435.tif 000006
【図５】
2020103435.tif 000007
【図６】
2020103435.tif 000008
【図７】
2020103435.tif 000009